(57)【要約】【課題】バッテリ容量を過大にすることなく、デバイスの動作可能時間を大きくするモバイル電子機器を提供する。【解決手段】モバイル電子機器１は、複数の電池２を電源とし、一時消費系デバイス群７、定常消費系デバイス群８に電源を供給する。電源切替部４は、初期状態において、電池２の１つの電源供給先を一時消費系デバイス群７とし、電池２のその余の１つの電源供給先を定常消費系デバイス群８とする。そして、電源切替部４は、電池２の電圧低下の検出により、当該電池の電源供給先を定常消費系デバイス群８に切り替える。このとき、予備となる電池２があれば、予備電池を一時消費系デバイス群７の電源供給元とする。予備電池がなければ、一時消費系デバイス群７、定常消費系デバイス群８で電源供給元となる電池２を同じにする。【選択図】図１
2012063893.tif 000002
【特許請求の範囲】
【請求項１】
定常的に電流を消費する定常消費系デバイス群と、一時的な電流消費により前記定常消費系デバイス群に比較して高い電圧を要する一時消費系デバイス群とに、電源供給可能な複数の電池と、
前記電池の電圧を監視する電圧監視部と、
前記電池のうち少なくとも１つの電源供給先を前記一時消費系デバイス群とし、前記定常消費系デバイス群としない状態から、前記電圧監視部による当該電池の所定の電圧低下の検出により、当該電池の電源供給先を前記定常消費系デバイス群に切り替える電源切替部と、
を備えるモバイル電子機器。
【請求項２】
前記電源切替部は、前記複数の電池のうちのいくつかを、前記一時消費系デバイス群、前記定常消費系デバイス群のいずれにも電源を供給しない予備電池とし、前記一時消費系デバイス群に電源供給をおこなう電池が所定の電圧に満たないことを前記電圧監視部により検出した場合、前記予備電池の電源供給先を前記一時消費系デバイス群に切り替える請求項１記載のモバイル電子機器。
【請求項３】
前記電源切替部は、前記電池のすべてについて前記電圧監視部による所定の電圧低下の検出により、前記電池のすべての電源供給先を、前記一時消費系デバイス群と前記定常消費系デバイス群の双方に切り替える請求項１または請求項２記載のモバイル電子機器。
【請求項４】
前記一時消費系デバイス群に電源を供給する前記電池が電源供給先を前記一時消費系デバイス群、前記定常消費系デバイス群の双方とする場合に、前記一時消費系デバイス群の制御条件を制限するデバイス制御部を備える請求項３記載のモバイル電子機器。
【請求項５】
前記電源切替部は、電源投入後の電圧監視部による前記電池の電圧監視の結果にもとづいて、前記電池の電源供給先を切り替えることを特徴とする請求項４記載のモバイル電子機器。
【請求項６】
前記電源切替部は、前記電圧監視部が前記一時消費系デバイス群の非作動時に検出した電圧にもとづいて、前記電池の電源供給先を切り替える請求項４記載のモバイル電子機器。
【請求項７】
定常的に電流を消費する定常消費系デバイス群と、一時的な電流消費により前記定常消費系デバイス群に比較して高い電圧を要するモータ駆動系デバイス群とに、電源供給可能な複数の電池と、
前記電池の電圧を監視する電圧監視部と、
前記電池のうち少なくとも１つの電源供給先を前記モータ駆動系デバイス群とし、前記定常消費系デバイス群としない状態から、前記電圧監視部による当該電池の所定の電圧低下の検出により、当該電池の電源供給先を前記定常消費系デバイス群に切り替える電源切替部と、
を備える撮像装置。
【請求項８】
前記モータ駆動系デバイス群に電源を供給する前記電池が電源供給先を前記モータ駆動系デバイス群、前記定常消費系デバイス群の双方とする場合に、複数のモータの同時駆動を制限するデバイス制御部を備える請求項７記載の撮像装置。
【請求項９】
前記電圧監視部による電圧検出の際に、前記モータ駆動系デバイス群の駆動を制限するデバイス制御部を備える請求項７記載の撮像装置。
【請求項１０】
電源供給先を、定常的に電流を消費する定常消費系デバイス群と、一時的な電流消費により前記定常消費系デバイス群に比較して高い電圧を要する一時消費系デバイス群のうち、前記一時消費系デバイス群とし、前記定常消費系デバイス群としない電池の所定の電圧低下の検出により、前記電池の電源供給先を前記一時消費系デバイス群と前記定常消費系デバイス群の双方に切り替えるモバイル電子機器の電源制御方法。
【請求項１１】
前記電池の電源供給先の切り替えとともに、前記一時消費系デバイス群の制御条件を制限する請求項１０記載のモバイル電子機器の電源制御方法。
【発明の詳細な説明】
【技術分野】
【０００１】
本発明は、モバイル電子機器、撮像装置、およびこれらの電源制御方法に関する。
【背景技術】
【０００２】
携帯電話やデジタル一眼レフカメラなどのモバイル電子機器は、電池を内蔵して各種電子デバイスに電力を供給している。モバイル電子機器は、携帯性の向上のために、小型軽量化とバッテリによる動作可能時間を大きくすることの両立が求められる。
【０００３】
しかしながら、動作可能時間を大きくするためにバッテリ容量を大きくすると、モバイル電子機器は、大型重量化してしまうため、携帯性が大きく損なわれる。
【０００４】
また、近年、モバイル電子機器のバッテリ（電源）として、リチウムイオン２次電池が広く使用されている。電池には、内部抵抗が存在し、各種デバイスを動作させるために電流を流すと内部抵抗による電圧降下が生じる。そのため、一時的に大電流を消費するデバイス（たとえば、モータなどの駆動系デバイス）が起動に必要な電圧を得られない場合があり、複数のデバイスの同時動作の制限などがおこなわれる。デバイスの動作制限は、デバイス間で電流ピークが重ならないように動作タイミングを制御することによりおこなわれる（たとえば、特許文献１参照）。
【０００５】
また、デジタル一眼レフカメラでは、バッテリ容量（出力電圧）値が基準値を下回ると、複数のモータが同時動作をおこなう連写を制限することが一般的におこなわれる。そこで、動作モードによって異なる出力密度を有する複数の電池を切り替えることで、長時間にわたる連続撮影を実現するデジタル一眼レフカメラの提案がある（たとえば、特許文献２参照）。
【先行技術文献】
【特許文献】
【０００６】
【特許文献１】特開２００４−８０３１０号公報
【特許文献２】特開昭６０−１９４６７７号公報
【発明の概要】
【発明が解決しようとする課題】
【０００７】
しかしながら、デジタル一眼レフカメラは、高速連写（１秒間に十数コマ以上撮影）をおこなう際に、シャッタ、ＡＦ、絞りなどを駆動するために複数のモータが動作する。これらデバイスの動作時のピーク電流が重ならないようにする制御は、連写速度を落とすこととなり、デジタル一眼レフカメラの性能を大きく低減することとなる。また、単純なバッテリ容量の増大は、バッテリ搭載機器の小型軽量化に反し、携帯性を損なうこととなる。
【０００８】
本発明は、このような点に鑑みてなされたものであり、バッテリ容量を過大にすることなく、デバイスの動作可能時間を大きくするモバイル電子機器、撮像装置、およびこれらの電源制御方法の提供を目的とする。
【課題を解決するための手段】
【０００９】
上記課題を解決するために、モバイル電子機器は、複数の電池と、電圧監視部と、電源切替部と、を備える。複数の電池は、定常消費系デバイス群と、一時消費系デバイス群とに電源供給可能である。定常消費系デバイス群は、定常的に電流を消費するデバイス群である。一時消費系デバイス群は、一時的な電流消費により定常消費系デバイス群に比較して高い電圧を要するデバイス群である。電圧監視部は、電池の電圧を監視する。電源切替部は、電池のうち少なくとも１つの電源供給先を一時消費系デバイス群とし、定常消費系デバイス群としない状態から、電圧監視部による当該電池の所定の電圧低下の検出により、当該電池の電源供給先を定常消費系デバイス群に切り替える。
【００１０】
また、上記課題を解決するために、撮像装置は、複数の電池と、電圧監視部と、電源切替部と、を備える。複数の電池は、定常消費系デバイス群と、モータ駆動系デバイス群とに電源供給可能である。定常消費系デバイス群は、定常的に電流を消費するデバイス群である。モータ駆動系デバイス群は、一時的な電流消費により定常消費系デバイス群に比較して高い電圧を要するデバイス群である。電圧監視部は、電池の電圧を監視する。電源切替部は、電池のうち少なくとも１つの電源供給先をモータ駆動系デバイス群とし、定常消費系デバイス群としない状態から、電圧監視部による当該電池の所定の電圧低下の検出により、当該電池の電源供給先を定常消費系デバイス群に切り替える。
【００１１】
また、上記課題を解決するために、モバイル電子機器の電源制御方法は、電源供給先を、定常的に電流を消費する定常消費系デバイス群と、一時的な電流消費により定常消費系デバイス群に比較して高い電圧を要する一時消費系デバイス群のうち、一時消費系デバイス群とし、定常消費系デバイス群としない電池の所定の電圧低下の検出により、当該電池の電源供給先を一時消費系デバイス群と定常消費系デバイス群の双方に切り替える。
【発明の効果】
【００１２】
上記のモバイル電子機器、撮像装置、およびこれらの電源制御方法によれば、バッテリ容量を過大にすることなく、デバイスの動作可能時間を大きくする。
【図面の簡単な説明】
【００１３】
【図１】第１の実施形態のモバイル電子機器の機能ブロックを示す図である。
【図２】第２の実施形態のカメラシステムのハードウェア構成例を示す図である。
【図３】第２の実施形態のカメラ本体部の電源系統を示す図である。
【図４】第２の実施形態の電池についての電圧と充電容量の関係を示す図である。
【図５】第２の実施形態の電池についての電圧と放電時間の関係を示す図である。
【図６】第２の実施形態のカメラ制御部のハードウェア構成例を示す図である。
【図７】第２の実施形態の電圧測定処理のフローチャートである。
【図８】第２の実施形態の電源切替制御処理のフローチャートである。
【図９】第３の実施形態のカメラ本体部の電源系統を示す図である。
【図１０】第３の実施形態の電源切替制御処理のフローチャートである。
【発明を実施するための形態】
【００１４】
以下、実施形態を図面を参照して説明する。
［第１の実施形態］
まず、第１の実施形態のモバイル電子機器の機能ブロックについて図１を用いて説明する。図１は、第１の実施形態のモバイル電子機器の機能ブロックを示す図である。
【００１５】
モバイル電子機器１は、バッテリを内蔵した携帯用電子機器である。たとえば、モバイル電子機器１には、デジタルカメラ、携帯電話、ノートＰＣ（Personal Computer）、モバイルＰＣ、ゲーム機器などがある。デジタルカメラは、デジタル一眼レフカメラ、ミラーレス一眼カメラ、コンパクトデジタルカメラなどがある。
【００１６】
モバイル電子機器１は、複数の電池２と、電圧監視部３と、電源切替部４と、第１電源供給部５と、第２電源供給部６と、一時消費系デバイス群７と、定常消費系デバイス群８と、を備える。
【００１７】
電池２は、２次電池のほか、１次電池であってもよい。電池２は、たとえば、２次電池であれば、ニッケルカドミウム蓄電池、ニッケル水素蓄電池、リチウムイオン蓄電池、リチウムイオンポリマ蓄電池などがある。また、電池２は、たとえば、１次電池であれば、マンガン乾電池、アルカリ乾電池などがある。
【００１８】
なお、電池２は、複数の電池として取扱可能であれば、パッケージを１つにするものであってもよい。
【００１９】
電圧監視部３は、複数の電池２の各々について電圧を監視する。電圧監視部３は、電池２が一時消費系デバイス群７、定常消費系デバイス群８を駆動するのに十分な電圧を有するか否かを監視する。
【００２０】
一時消費系デバイス群７は、一時的な電流消費により定常消費系デバイス群８に比較して高い電圧を要するデバイス群である。一時消費系デバイス群７は、複数の一時消費系デバイスからなる。一時消費系デバイスは、たとえば、デジタル一眼レフカメラであれば、ＡＦ駆動、絞り、シャッタを駆動するモータやソレノイドなどの駆動系デバイス、ストロボ充電回路などがある。また、一時消費系デバイスは、たとえば、バイブレータ、ハードディスク、ディスクドライブを駆動するモータやソレノイドなどの駆動系デバイスがある。これら駆動系デバイスは、デバイスの駆動時に一時的に、定常消費系デバイス群８と比較して大電流を使用する。特に、起動時および停止時において、駆動系デバイスは、デバイスの駆動に一時的に大きな電流を消費する。
【００２１】
定常消費系デバイス群８は、一時消費系デバイス群７と比較して電流量は多くはないが定常的に電流を消費するデバイス群である。定常消費系デバイス群８は、複数の定常消費系デバイスからなる。定常消費系デバイスは、たとえば、デジタル一眼レフカメラであれば、ＣＰＵ（Central Processing Unit）、ＬＣＤ（Liquid Crystal Display：液晶パネル）、撮像素子などがある。
【００２２】
第１電源供給部５は、一時消費系デバイス群７に電源供給をおこなう。第１電源供給部５は、電池２を電源供給元として、電圧変換部（たとえば、ＤＣ（Direct Current）−ＤＣコンバータ）で所要の電圧に変換して一時消費系デバイス群７に電源を供給する。
【００２３】
第２電源供給部６は、定常消費系デバイス群８に電源供給をおこなう。第２電源供給部６は、電池２を電源供給元として、電圧変換部（たとえば、ＤＣ−ＤＣコンバータ）で所要の電圧に変換して定常消費系デバイス群８に電源を供給する。
【００２４】
電源切替部４は、電池２の１つの電源供給先を第１電源供給部５とし、電池２のその余の１つの電源供給先を第２電源供給部６とする状態を初期状態とする。そして、電源切替部４は、第１電源供給部５に電源供給する電池２の所定の電圧低下の検出により、当該電池の電源供給先を第２電源供給部６に切り替える。
【００２５】
このとき、第１電源供給部５、第２電源供給部６のいずれにも電源供給をおこなっていない電池２があれば、当該電池を第１電源供給部５の電源供給元とする。第１電源供給部５、第２電源供給部６のいずれにも電源供給をおこなっていない電池２がなければ、第１電源供給部５、第２電源供給部６で電源供給元となる電池２を同じにする。
【００２６】
これにより、一時消費系デバイス群７は、定常消費系デバイス群８と切り分けて、電源を使用することができるため、電池２の内部抵抗による電圧降下の制限範囲を抑制することができ、バッテリ容量を過大にすることなく一時消費系デバイス群７の動作可能時間を大きくすることができる。
【００２７】
［第２の実施形態］
次に、より具体的な第２の実施形態について説明する。モバイル電子機器の一例として、デジタル一眼レフカメラタイプのカメラシステムを図２用いて説明する。図２は、第２の実施形態のカメラシステムのハードウェア構成例を示す図である。
【００２８】
カメラシステム（撮像システム）１０は、デジタル一眼レフカメラであって、カメラ本体（撮像装置）１１と、交換レンズ２５を備える。カメラ本体１１は、カメラ本体１１と交換レンズ２５の各々が有する接合部を介して交換レンズ２５を装着する。接合部は、カメラ本体１１が交換レンズ２５を保持するための接合部形状を有するほか、焦点検出情報（たとえば、測距情報など）や絞り値の情報など各種情報を相互に入出力するための接点を有する。
【００２９】
カメラ本体１１は、カメラ制御部１２、ＬＣＤ１３、ＥＶＦ（Electric View Finder：電子ビューファインダ）１４、記録媒体１５、フォーカス駆動部１９、ＡＦ（Auto Focus）／ＭＦ（Manual Focus）切替部２０、絞り駆動部２１、電池部２２を備える。さらに、カメラ本体１１は、ＡＦユニット１６、測光ユニット１７、撮像素子１８、ハーフミラー２４、その他図示しないレリーズボタン等の各種操作部を備える。
【００３０】
カメラ制御部１２は、カメラ本体１１を統括的に制御するとともに、レンズ制御部２６との間で各種情報を入出力する。ＬＣＤ１３は、撮影する構図を確認するためのライブビュー、撮影した画像の再生表示、各種情報表示、各種操作の案内表示をおこなう表示装置である。ＬＣＤ１３が表示する各種情報表示には、たとえば、シャッタ速度、絞り値、バッテリ残量、撮影モードなどがある。
【００３１】
ＥＶＦ１４は、撮影する構図を確認するための電子ビューファインダである。ＥＶＦ１４は、ＬＣＤ１３のライブビューと切り替えて使用可能である。記録媒体１５は、撮影した画像（静止画像、動画像など）を記録する。記録媒体１５は、装脱着可能であって、電源遮断時にも情報を保持するために、たとえば、フラッシュメモリ、ＥＥＰＲＯＭ（Electrically Erasable and Programmable Read Only Memory）などの不揮発性の記憶媒体である。
【００３２】
ハーフミラー２４は、たとえば、半透過型の薄膜ミラー（ペリクルミラー）であって、交換レンズ２５からの入射光を撮像素子１８に透過させるとともに、ＡＦユニット１６、測光ユニット１７に反射する。
【００３３】
撮像素子１８は、入射光を電気信号に変換するイメージセンサ（たとえば、ＣＯＭＳ（Complementary Metal Oxide Semiconductor）イメージセンサや、ＣＣＤ（Charge Coupled Device）イメージセンサ）である。ＡＦユニット１６は、被写体の焦点を検出する位相差センサであり、たとえば、６位相差ＡＦユニットである。測光ユニット１７は、被写体の明るさを測定する。
【００３４】
フォーカス駆動部１９は、交換レンズ２５が備えるフォーカスレンズ２７を駆動する。ＡＦ／ＭＦ切替部２０は、フォーカスレンズ２７の焦点調節をオートフォーカスとマニュアルフォーカスとに切り替える。絞り駆動部２１は、交換レンズ２５が備える絞り２８を駆動する。
【００３５】
なお。フォーカス駆動部１９、絞り駆動部２１は、モータなどのアクチュエータであって、交換レンズ２５と機械的に接続して駆動力を伝達する。また、交換レンズ２５がモータなどのアクチュエータを備える場合、フォーカス駆動部１９、絞り駆動部２１は、交換レンズ２５が備えるアクチュエータを駆動する。
【００３６】
電池部２２は、カメラ本体１１と交換レンズ２５に電源を供給する。電池部２２は、１パッケージの中にリチウムイオン蓄電池からなる電池Ａ、電池Ｂの２つの電池を備える。なお、電池Ａ、電池Ｂは、各々別パッケージであってもよい。また、電池Ａ、電池Ｂは、ニッケル水素蓄電池など、その他の２次電池でもよいし、１次電池であってもよい。
【００３７】
交換レンズ２５は、レンズ制御部２６、フォーカスレンズ２７、絞り２８を備える。レンズ制御部２６は、フォーカスレンズ２７のレンズ位置、絞り２８の開き具合などの情報をカメラ制御部１２に通信出力する。
【００３８】
このようなカメラシステム１０は、以下のようにして撮影をおこなう。カメラ制御部１２は、レリーズボタン操作を検出することで、ＡＦユニット１６から被写体の焦点情報を、測光ユニット１７から測光情報を取得して合焦位置を演算する。カメラ制御部１２は、制御情報をフォーカス駆動部１９に出力する。フォーカス駆動部１９は、ＡＦ／ＭＦ切替部２０が焦点調節をオートフォーカスに切り替えていれば、駆動力をフォーカスレンズ２７に伝達し、ピント合わせをおこなう。なお、ＡＦ／ＭＦ切替部２０が焦点調節をマニュアルフォーカスに切り替えていれば、ピント合わせは、撮影者自身の操作によりおこなわれる。
【００３９】
また、カメラ制御部１２は、測光情報にもとづく制御情報を絞り駆動部２１に出力する。絞り駆動部２１は、絞り２８を駆動して、交換レンズ２５を通して撮像素子１８に入射する光量を調整する。なお、露出は、絞り２８と撮像素子１８との間に配置される図示されないシャッタ（メカニカルシャッタ）と、絞り２８とにより決定される。なお、電子式シャッタの場合、露出は、絞り２８と撮像素子１８の制御（たとえば、蓄光時間制御）により決定される。
【００４０】
これにより、焦点が決定され、露出が決定された状態の光が撮像素子１８に照射され、カメラシステム１０は、焦点が合い、明るさ調整された静止画、あるいは動画を得ることができる。撮影された、動画、静止画は、カメラ制御部１２を介して、記録媒体１５に記録される。
【００４１】
なお、カメラ制御部１２は、レンズ制御部２６を介してフォーカスレンズ２７の位置、絞り２８の開き具合などの制御情報を取得する。取得された制御情報は、ＬＣＤ１３に表示され、あるいは撮影データとともに保存される。
【００４２】
次に、第２の実施形態の電源系統の構成について図３を用いて説明する。図３は、第２の実施形態のカメラ本体部の電源系統を示す図である。電池部２２は、電源制御部３０と接続し、電源制御部３０を介して一時消費系デバイス３５、定常消費系デバイス３７に電力を供給する。
【００４３】
一時消費系デバイス３５は、動作が一時的であり限定された時間に大電流が必要とされるデバイス群である。一時消費系デバイス３５は、フォーカス駆動部１９、絞り駆動部２１、シャッタ駆動部３６などモータやソレノイドなどの駆動系デバイス、図示しないストロボ充電回路などがある。
【００４４】
定常消費系デバイス３７は、一時消費系デバイス３５と比較して電流量は多くはないが定常的に電流を消費するデバイスである。定常消費系デバイス３７は、撮像素子１８、ＣＰＵ１０１、ＬＣＤ１３などがある。
【００４５】
電源制御部３０は、電池部２２が備える電池Ａ、電池Ｂを電源供給元とし、電源電圧を変換して一時消費系デバイス３５、定常消費系デバイス３７の電源供給元となる。電源制御部３０は、電圧変換部３１、電圧変換部３２、電源切替部３３を備える。なお、電池Ａ、電池Ｂの合計バッテリ容量（充電容量）は、従来の単一電源を用いる場合と同じく、たとえば、１８００ｍＡｈ程度であり、カメラ本体１１を大型化、重量化するものでない。
【００４６】
電圧変換部３１は、一時消費系デバイス３５に電源供給をおこなう。電圧変換部３２は、定常消費系デバイス３７に電源供給をおこなう。電圧変換部３１、電圧変換部３２は、たとえば、ＤＣ−ＤＣコンバータのような電圧制御ＬＳＩ（Large Scale Integration）や三端子レギュレータで構成可能である。なお、電圧変換部３１、電圧変換部３２は、一次的に電圧変換をおこなうものであってもよく、その場合、各デバイスは、三端子レギュレーなどの二次的な電圧変換部を備える。
【００４７】
電源切替部３３は、ＳＷ（スイッチ）１０を備え、ＳＷ１０のＯＮ、ＯＦＦを制御することで、電圧変換部３１、電圧変換部３２の電源供給元を切り替える。電源切替部３３は、ＳＷ１０のＯＦＦにより、電池Ａの電源供給先を電圧変換部３１、電池Ｂの電源供給先を電圧変換部３２とする（電源分離状態）。そして、電源切替部３３は、ＳＷ１０のＯＮにより、電池Ａと電池Ｂを並列接続して、電池Ａと電池Ｂの電源供給先を電圧変換部３１、電圧変換部３２とする（電源接続状態）。
【００４８】
ここで、第２の実施形態の電池Ａ、電池Ｂの特性について図４を用いて説明する。図４は、第２の実施形態の電池についての電圧と充電容量の関係を示す図である。一般に、電池は、充電容量（電池残量）の減少に伴い電圧が低下する。電池Ａ、電池Ｂにリチウムイオン蓄電池を用いた場合を例に挙げて説明する。なお、電池は、内部抵抗が存在するため、電流を流すことにより内部抵抗×電流値分の電圧降下を生じる。
【００４９】
そのため、一時消費系デバイス３５は、デバイス単体の駆動では問題なく動作する電圧であっても、複数のデバイスが同時駆動された場合に、電圧降下により正常に動作しないということが起こりえる。つまり、満充電付近においては問題なく動作した一時消費系デバイス３５に、充電容量が少なくなると動作しないという問題が生じる。
【００５０】
たとえば、電圧Ｅａ以上（すなわち充電容量Ｑａ以上）において、一時消費系デバイス３５は、正常に動作し、カメラシステム１０は、フォーカス駆動部１９、絞り駆動部２１などを同時駆動可能であり、高速連写撮影をおこなうことができる。しかしながら、電圧Ｅａ未満（すなわち充電容量Ｑａ未満）において、一時消費系デバイス３５は、正常に動作しないことが起こりえるため、カメラシステム１０は、フォーカス駆動部１９、絞り駆動部２１などの同時駆動を制限（制御条件の制限）し、連写撮影を制限せざるをえない。
【００５１】
なお、定常消費系デバイス３７は、定常的に電流を消費するが大電流を必要とせず、内部抵抗による電圧降下の影響が少ないため、電圧Ｅｂ以上（すなわち充電容量Ｑｂ以上）において、一時消費系デバイス３５のように制約を受けることなく正常に動作する。また、定常消費系デバイス３７は、一時消費系デバイス３５の駆動状況が連写動作であっても、単写動作であっても、電圧Ｅｂ以上で動作可能である。
【００５２】
なお、充電容量は、電池の電圧を測定し、カメラ制御部１２があらかじめ記憶する電圧テーブルを参照して求めることができる。電圧テーブルは、温度（この場合、別途温度センサを設ける）、電流値、内部抵抗、撮影モード、電池の種類など所定のパラメータに応じて複数設けてもよい。
【００５３】
次に、第２の実施形態の電池Ａ、電池Ｂの電圧と放電時間の関係について図５を用いて説明する。図５は、第２の実施形態の電池についての電圧と放電時間の関係を示す図である。
【００５４】
タイミングＴ１は、電池Ａにおける一時消費系デバイス３５の高速連写撮影の動作限界であり、電池Ｂにおける定常消費系デバイス３７の動作限界である。タイミングＴ１において、電池Ａは電圧Ｅａであり、電池Ｂは電圧Ｅｂである。
【００５５】
このように、カメラシステム１０は、一時消費系デバイス３５と定常消費系デバイス３７の電源を分離することにより、機能制限をおこなうことなく、具体的には連写速度の制限をおこなうことなく長時間の可動を実現する。
【００５６】
そして、電池Ａが電圧Ｅａ未満の電圧となった場合、または電池Ｂが電圧Ｅｂ未満の電圧となった場合には、カメラシステム１０は、電池Ａと電池Ｂを接続して一時消費系デバイス３５と定常消費系デバイス３７に電源を供給する。これにより、カメラシステム１０は、一時消費系デバイス３５の同時駆動に制限を受けるものの、一時消費系デバイス３５と定常消費系デバイス３７ともに動作可能となる。
【００５７】
なお、現実には、電池Ａが電圧Ｅａになるタイミングと、電池Ｂが電圧Ｅｂになるタイミングは一致しない場合が多いが、電池Ａと電池Ｂの容量に差を設けることで設計上のタイミング（Ｔ１）を同期させ、カメラシステム１０の動作時間を大きくできる。
【００５８】
次に、第２の実施形態のカメラ制御部のハードウェア構成について図６を用いて説明する。図６は、第２の実施形態のカメラ制御部のハードウェア構成例を示す図である。
【００５９】
カメラ制御部１２は、ＣＰＵ１０１によって電源制御部３０を含めカメラ本体１１を統括的に制御する。ＣＰＵ１０１には、バス１０７を介してＲＡＭ（Random Access Memory）１０２、ＲＯＭ（Read Only Memory）１０３、通信インタフェース１０４、グラフィック処理装置１０５、および入出力インタフェース１０６が接続されている。
【００６０】
ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。ＲＯＭ１０３には、ＯＳやアプリケーションプログラムが格納される。また、ＲＯＭ１０３には、電池Ａ、電池Ｂの電圧テーブルが格納される。
【００６１】
グラフィック処理装置１０５には、ＬＣＤ１３やＥＶＦが接続される。入出力インタフェース１０６には、各種入出力装置が接続されるほか、電源制御部３０と接続する。各種入出力装置、電源制御部３０は、入出力インタフェース１０６、バス１０７を介してＣＰＵ１０１と情報の入出力をおこなう。通信インタフェース１０４は、他のコンピュータとの間でデータの送受信をおこなう。
【００６２】
以上のようなハードウェア構成によって、本実施の形態の処理機能を実現することができる。
【００６３】
なお、カメラ制御部１２は、それぞれＦＰＧＡ（Field Programmable Gate Array）やＤＳＰ（Digital Signal Processer）などからなるモジュールを含んで構成することもでき、ＣＰＵ１０１を有しない構成とすることもできる。その場合、カメラ制御部１２は、それぞれ不揮発性メモリ（たとえば、ＥＥＰＲＯＭ、フラッシュメモリ、フラッシュメモリ型メモリカードなど）を備え、モジュールのファームウェアを記憶する。不揮発性メモリは、入出力インタフェース１０６と接続する可搬型記録媒体、あるいは通信インタフェース１０４を介してファームウェアを書き込むことができる。このようにカメラ制御部１２は、不揮発性メモリに記憶されているファームウェアを書き換えることにより、ファームウェアの更新をすることもできる。
【００６４】
次に、第２の実施形態の電圧測定処理について図７を用いて説明する。図７は、第２の実施形態の電圧測定処理のフローチャートである。電圧測定処理は、カメラ制御部１２が電源制御部３０とともにおこなう処理である。
【００６５】
［ステップＳ１１］カメラ制御部１２は、電源投入により初期化処理を実行する。カメラ制御部１２は、初期化処理で各デバイスが動作する前に、電池Ａおよび電池Ｂの電圧をＡ／Ｄコンバータより取得する。これにより、カメラ制御部１２は、各デバイスの動作状況にもとづく電池の充電容量検出の誤差要因を排除して、電圧または電圧にもとづく充電容量を求めることができる。
【００６６】
［ステップＳ１２］カメラ制御部１２は、検出した電池Ａ、電池Ｂの電圧にもとづいて、電池Ａ、電池Ｂの電源供給先を切り替える電源切替制御処理を実行する。電源切替制御処理の詳細は、図８を用いて後で詳述する。
【００６７】
［ステップＳ１３］カメラ制御部１２は、電圧監視条件の成立を判断し、電圧監視条件の成立を待ってステップＳ１４にすすむ。電圧監視条件は、所定時間経過毎（たとえば、１０秒ごと）、撮影モードの変更など所定の操作を受け付けたとき、所定の電力消費があったとき（たとえば、電流積算値が所定値に達したとき）などとすることができる。
【００６８】
［ステップＳ１４］カメラ制御部１２は、現在の撮影モードが動画撮影であるか、静止画撮影であるか、またはそのいずれでもないかを判定する。カメラ制御部１２は、現在の撮影モードが静止画撮影である場合にステップＳ１５にすすみ、現在の撮影モードが動画撮影である場合にステップＳ１６にすすみ、そのいずれでもない場合にステップＳ１７にすすむ。
【００６９】
［ステップＳ１５］カメラ制御部１２は、シャッタボタン（レリーズボタン）が押下中（半押し中を含む）であるか否かを判定する。カメラ制御部１２は、シャッタボタンが押下中であれば、モータ駆動系デバイスであるフォーカス駆動部１９、絞り駆動部２１などが動作中であり、充電容量検出のための正確な電圧検出ができないとして待機する。カメラ制御部１２は、シャッタボタンが押下中でなければ、ステップＳ１７にすすむ。
【００７０】
［ステップＳ１６］カメラ制御部１２は、モータ駆動系デバイスであるフォーカス駆動部１９、絞り駆動部２１などが動作中であるか否かを判定する。カメラ制御部１２は、モータ駆動系デバイスが動作中であれば、充電容量検出のための正確な電圧検出ができないとして待機する。カメラ制御部１２は、モータ駆動系デバイスが動作中でなければ、ステップＳ１７にすすむ。
【００７１】
［ステップＳ１７］カメラ制御部１２は、電池Ａおよび電池Ｂの電圧をＡ／Ｄコンバータより取得する。これにより、カメラ制御部１２は、各デバイスの動作状況にもとづく電池の充電容量検出の誤差要因をできるだけ排除して、電圧または電圧にもとづく充電容量を求めることができる。
【００７２】
この後、カメラ制御部１２は、再びステップＳ１２にすすみ、電源切替制御処理を実行する。
【００７３】
なお、電池の電圧取得タイミングで、カメラ制御部１２は、モータ駆動系デバイスを一時停止（たとえば、１００μＳ程度）して制御するようにしてもよい。特に、動画撮影では、被写体に追随するようにしてフォーカス駆動部１９、絞り駆動部２１が動作するため、モータ駆動系デバイスの一時停止制御は、好適な電圧測定をおこなううえで有効である。
【００７４】
次に、第２の実施形態の電源切替制御処理について図８を用いて説明する。図８は、第２の実施形態の電源切替制御処理のフローチャートである。電源切替制御処理は、カメラ制御部１２が電源制御部３０とともにおこなう処理である。
【００７５】
［ステップＳ２１］カメラ制御部１２は、一時消費系デバイス３５に電源を供給する電池Ａの電圧を検出（監視）する。具体的には、カメラ制御部１２は、電池Ａの電圧をＡ／Ｄコンバータより取得する。
【００７６】
［ステップＳ２２］カメラ制御部１２は、検出した電池Ａの電圧が所定電圧（比較対象電圧）以上であるか否かを判定する。カメラ制御部１２は、検出した電池Ａの電圧が所定電圧以上である場合にステップＳ２３にすすみ、所定電圧に満たない場合にステップＳ２７にすすむ。
【００７７】
ここで比較対象とする電圧は、以下のようにして求めることができる。一時消費系デバイス３５の最大電流（同時動作した時の最大電流）をＩａ、電池Ａの内部抵抗をＲａ、一時消費系デバイス３５の動作保障電圧（同時動作可能な最低電圧）Ｖａｍｉｎとすると、比較対象電圧Ａは、（１）式により求めることができる。
Ａ＝Ｖａｍｉｎ／Ｋ＋（Ｉａ×Ｒａ）  ……（１）
【００７８】
たとえば、電池Ａが満充電電圧７．２Ｖのリチウムイオン蓄電池であり、一時消費系デバイス３５は、フォーカス駆動部１９、絞り駆動部２１、シャッタ駆動部３６であるとする。このとき、各デバイスに流れる電流値がフォーカス駆動部１９が１．２Ａ、絞り駆動部２１が１．３Ａ、シャッタ駆動部３６が１．５ＡとするとＩａ＝４Ａになり、内部抵抗Ｒａ＝０．３Ω、Ｖａｍｉｎ＝４．０Ｖ、マージン係数Ｋ＝０．８であれば、Ａ＝６．２Ｖとなる。なお、マージン係数Ｋは、１以下の値であり、使用条件等に応じて任意に設定する。
【００７９】
［ステップＳ２３］カメラ制御部１２は、定常消費系デバイス３７に電源を供給する電池Ｂの電圧を検出（監視）する。具体的には、カメラ制御部１２は、電池Ｂの電圧をＡ／Ｄコンバータより取得する。
【００８０】
［ステップＳ２４］カメラ制御部１２は、検出した電池Ｂの電圧が所定電圧（比較対象電圧）以上であるか否かを判定する。カメラ制御部１２は、検出した電池Ｂの電圧が所定電圧以上である場合にステップＳ２５にすすみ、所定電圧に満たない場合にステップＳ２７にすすむ。
【００８１】
ここで比較対象とする電圧は、以下のようにして求めることができる。定常消費系デバイス３７の最大電流（同時動作した時の最大電流）をＩｂ、電池Ｂの内部抵抗をＲｂ、定常消費系デバイス３７の動作保障電圧（同時動作可能な最低電圧）Ｖｂｍｉｎとすると、比較対象電圧Ｂは、（２）式により求めることができる。
Ｂ＝Ｖｂｍｉｎ／Ｋ＋（Ｉｂ×Ｒｂ）  ……（２）
【００８２】
たとえば、電池Ｂが満充電電圧７．２Ｖのリチウムイオン蓄電池であり、定常消費系デバイス３７は、撮像素子１８、ＣＰＵ１０１、ＬＣＤ１３であるとする。このとき、各デバイスに流れる電流値が撮像素子１８が７０ｍＡ、ＣＰＵ１０１が４００ｍＡ、ＬＣＤ１３が７０ｍＡとするとＩｂ＝５４０ｍＡになり、内部抵抗Ｒｂ＝０．３Ω、Ｖｂｍｉｎ＝４．０Ｖ、マージン係数Ｋ＝０．８であれば、Ｂ＝５．１６２（≒５．２）Ｖとなる。なお、マージン係数Ｋは、１以下の値であり、使用条件等に応じて任意に設定する。
【００８３】
なお、定常消費系デバイス３７は、電圧測定時であっても各デバイスをＯＦＦにすることができない場合が多いので、各デバイスの動作状況を鑑みて比較対象電圧Ｂを設定する。たとえば、撮像素子１８がＯＮ、ＣＰＵ１０１がＯＮ、ＬＣＤ１３がＯＦＦであれば、電池Ｂの電圧は、内部抵抗による電圧降下があるので、Ｉｂ＝７０ｍＡとして比較対象電圧Ｂを求める。この場合、比較対象電圧Ｂは、５．０２１（≒５．０）Ｖとなる。
【００８４】
なお、各デバイスの消費電流は、設計時に取得したデータなどを用いることができる。また、比較対象電圧Ａ、比較対象電圧Ｂは、その都度計算することなく、あらかじめテーブルデータとして保持するようにしてもよい。
【００８５】
［ステップＳ２５］カメラ制御部１２は、電源制御部３０に指示し、電池Ａを一時消費系デバイス３５の電源供給元とし、電池Ｂを定常消費系デバイス３７の電源供給元となるように、一時消費系デバイス３５と定常消費系デバイス３７の電源を分離する。より、具体的には、電源制御部３０は、ＳＷ１０をＯＦＦ状態（電源分離状態）とする。
【００８６】
［ステップＳ２６］カメラ制御部１２は、電池Ａが一時消費系デバイス３５を動作させるのに十分な電圧があり、電池Ｂも定常消費系デバイス３７を動作させるのに十分な電圧があることから、複数のモータ係デバイスが同時動作する高速連写撮影を許可する。この後、カメラ制御部１２は、電源切替制御処理を終了する。ここでいう高速連写撮影は、シャッタボタンを押し続けることで連続撮影をおこなうものであり、連続撮影の速度はカメラシステム１０により異なる。
【００８７】
［ステップＳ２７］カメラ制御部１２は、電源制御部３０に指示し、電池Ａと電池Ｂを接続し、電池Ａと電池Ｂが一時消費系デバイス３５と定常消費系デバイス３７で共通の電源供給元とする。より、具体的には、電源制御部３０は、ＳＷ１０をＯＮ状態（電源接続状態）とする。
【００８８】
［ステップＳ２８］カメラ制御部１２は、電池Ａが一時消費系デバイス３５を動作させるのに十分な電圧がない、あるいは電池Ｂが定常消費系デバイス３７を動作させるのに十分な電圧がないことから、複数のモータ係デバイスが同時動作する高速連写撮影を不許可（単写撮影）とする。この後、カメラ制御部１２は、電源切替制御処理を終了する。ここでいう単写撮影は、撮影をおこなう都度、シャッタボタンを押すものであり、単写撮影から次の単写撮影までの間隔はカメラシステム１０により異なる。
【００８９】
これにより、カメラシステム１０は、一時消費系デバイス３５が同時動作可能な電池残量を適切に判断することができ、バッテリ容量を過大にすることなく一時消費系デバイス３５の動作可能時間を大きくすることができる。
【００９０】
なお、カメラ制御部１２は、電源分離状態で高速連写撮影を許容する通常モードと、電源接続状態で高速連写撮影を制限する制限モードとに制御したが、これに限らず一時消費系デバイス３５の動作を制限するものであれば、その他のものであってもよい。
【００９１】
たとえば、カメラ制御部１２は、電源分離状態では秒速１５枚までの連続撮影を許し、電源接続状態では秒速１０枚までの連続撮影を許すようにしてもよい。また、カメラ制御部１２は、電源分離状態では焦点（ＡＦ）と絞りを同時に調整可能な連続撮影を許し、電源接続状態では焦点または絞りのいずれかを固定した連続撮影を許すようにしてもよい。また、カメラ制御部１２は、電源分離状態では焦点と絞りを同時に調整可能な連続撮影を許し、電源接続状態では焦点と絞りを排他的に動作させる連続撮影を許すようにしてもよい。また、カメラ制御部１２は、電源分離状態では焦点と絞り、ストロボの充電を同時に許し、電源接続状態では焦点、絞りの調整とストロボ充電とを排他的に動作させるようにしてもよい。
【００９２】
［第３の実施形態］
次に、電池部が備える電池をより細分化し、予備電源として電池を設ける第３の実施形態について図９を用いて説明する。図９は、第３の実施形態のカメラ本体部の電源系統を示す図である。なお、第２の実施形態と同じ構成については、符番を同じにして説明を省略する。
【００９３】
電池部５４は、電源制御部５０と接続し、電源制御部５０を介して一時消費系デバイス３５、定常消費系デバイス３７に電力を供給する。
【００９４】
電源制御部５０は、電池部５４が備える複数の電池（電池Ａ、電池Ｂ、電池Ｃ、電池Ｄ）を電源供給元とし、電源電圧を変換して一時消費系デバイス３５、定常消費系デバイス３７の電源供給元となる。電源制御部５０は、電圧変換部５１、電圧変換部５２、電源切替部５３を備える。なお、電池Ａ、電池Ｂ、電池Ｃ、電池Ｄの合計バッテリ容量（充電容量）は、従来の単一電源を用いる場合と同じく、たとえば、１８００ｍＡｈ程度であり、カメラ本体１１を大型化、重量化するものでない。なお、電池Ａ、電池Ｄの合計バッテリ容量を従来の単一電源と同程度とし、カメラ本体１１に接続する縦位置グリップに予備バッテリとして電池Ｂ、電池Ｃを内蔵してバッテリ容量を拡大するものでもよい。
【００９５】
電圧変換部５１は、一時消費系デバイス３５に電源供給をおこなう。電圧変換部５２は、定常消費系デバイス３７に電源供給をおこなう。電圧変換部５１、電圧変換部５２は、たとえば、ＤＣ−ＤＣコンバータのような電圧制御ＬＳＩや三端子レギュレータで構成可能である。なお、電圧変換部５１、電圧変換部５２は、一次的に電圧変換をおこなうものであってもよく、その場合、各デバイスは、三端子レギュレーなどの二次的な電圧変換部を備える。
【００９６】
電源切替部５３は、ＳＷ２０、ＳＷ２１、ＳＷ２２、ＳＷ２３、ＳＷ２４、ＳＷ２５を備え、各ＳＷのＯＮ、ＯＦＦを制御することで、電圧変換部５１、電圧変換部５２の電源供給元を切り替える。
【００９７】
電源切替部５３は、ＳＷ２０、ＳＷ２１、ＳＷ２２、ＳＷ２４、ＳＷ２５のＯＦＦ、ＳＷ２３のＯＮにより、電池Ａの電源供給先を電圧変換部５１として、電池Ｄの電源供給先を電圧変換部５２とする（第１の電源分離状態）。このとき、電池Ｂ、電池Ｃは、電圧変換部５１、電圧変換部５２のいずれにも接続しない予備電池となる。
【００９８】
そして、電圧変換部５１または電圧変換部５２への供給電圧のいずれかが所定の電圧以下となると、電源切替部５３は、ＳＷ２３をＯＦＦしＳＷ２４をＯＮにして、電池Ａの電源供給先を電圧変換部５２とする。併せて、電源切替部５３は、ＳＷ２１をＯＮにして、電池Ｂの電源供給先を電圧変換部５１とする。これにより、電源切替部５３は、電池Ｂの電源供給先を電圧変換部５１として、電池Ａ、電池Ｄの電源供給先を電圧変換部５２とする（第２の電源分離状態）。このとき、電池Ｃは、電圧変換部５１、電圧変換部５２のいずれにも接続しない予備電池となる。
【００９９】
そして、電圧変換部５１または電圧変換部５２への供給電圧のいずれかが所定の電圧以下となると、電源切替部５３は、ＳＷ２１をＯＦＦしＳＷ２５をＯＮにして、電池Ｂの電源供給先を電圧変換部５２とする。併せて、電源切替部５３は、ＳＷ２２をＯＮにして、電池Ｃの電源供給先を電圧変換部５１とする。これにより、電源切替部５３は、電池Ｃの電源供給先を電圧変換部５１として、電池Ａ、電池Ｂ、電池Ｄの電源供給先を電圧変換部５２とする（第３の電源分離状態）。
【０１００】
そして、電圧変換部５１または電圧変換部５２への供給電圧のいずれかが所定の電圧以下となると、電源切替部５３は、ＳＷ２０をＯＮにして、電池Ａ、電池Ｂ、電池Ｃ、電池Ｄを並列接続する。これにより、電源切替部５３は、電池Ａ、電池Ｂ、電池Ｃ、電池Ｄの電源供給先を電圧変換部５１、電圧変換部５２とする状態（電源接続状態）とする。
【０１０１】
このように、カメラシステム１０は、予備電源となる電池を設けることで、電池Ａ、電池Ｂ、電池Ｃ、電池Ｄのバッテリ容量を過大にすることなく、一時消費系デバイス３５の動作可能時間を大きくすることができる。
【０１０２】
なお、電池Ａ、電池Ｂ、電池Ｃのバッテリ容量は、電池Ａ≦電池Ｂ≦電池Ｃ、すなわち一時消費系デバイス３５にとっての、第１接続電池≦第２接続電池≦第３接続電池としてもよい。このとき、電池Ａ、電池Ｂ、電池Ｃは、各々の電池の満充電容量の大きさにしたがい、あらかじめ決めておくようにしてもよい。あるいは、電源投入時などに検出した電池Ａ、電池Ｂ、電池Ｃは、各々の電池の電圧にしたがい、一時消費系デバイス３５への接続順序を決定するようにしてもよい。
【０１０３】
これにより、カメラシステム１０は、定常消費系デバイス３７の消費電力が大きくなる場合が生じても、バッテリ容量の小さい順に定常消費系デバイス３７に電池を接続していくので、一時消費系デバイス３５の動作可能時間を大きくすることができる。
【０１０４】
次に、第３の実施形態の電源切替制御処理について図１０を用いて説明する。図１０は、第３の実施形態の電源切替制御処理のフローチャートである。電源切替制御処理は、カメラ制御部１２が電源制御部５０とともにおこなう処理である。
【０１０５】
［ステップＳ３１］カメラ制御部１２は、電源制御部３０に指示し、電池Ａを一時消費系デバイス３５の電源供給元とし、電池Ｄを定常消費系デバイス３７の電源供給元とする。より、具体的には、電源制御部５０は、ＳＷ２０、ＳＷ２１、ＳＷ２２、ＳＷ２４、ＳＷ２５のＯＦＦ、ＳＷ２３のＯＮとする第１の電源分離状態とする。
【０１０６】
［ステップＳ３２］カメラ制御部１２は、一時消費系デバイス３５に電源を供給する電池の電圧を検出（監視）する。具体的には、カメラ制御部１２は、検出対象となる電池の電圧をＡ／Ｄコンバータより取得する。なお、検出対象となる電池は、第１の電源分離状態で電池Ａ、第２の電源分離状態で電池Ｂ、第３の電源分離状態で電池Ｃである。
【０１０７】
［ステップＳ３３］カメラ制御部１２は、検出対象とした電池の電圧が所定電圧（比較対象電圧）以上であるか否かを判定する。カメラ制御部１２は、検出対象とした電池の電圧が所定電圧以上である場合にステップＳ３４にすすみ、所定電圧に満たない場合にステップＳ３７にすすむ。ここで比較対象とする電圧は、前述の（１）式により求めることができる。
【０１０８】
［ステップＳ３４］カメラ制御部１２は、定常消費系デバイス３７に電源を供給する電池の電圧を検出（監視）する。具体的には、カメラ制御部１２は、検出対象となる電池の電圧をＡ／Ｄコンバータより取得する。なお、検出対象となる電池は、第１の電源分離状態で電池Ｄ、第２の電源分離状態で電池Ａおよび電池Ｄ、第３の電源分離状態で電池Ａ、電池Ｂ、および電池Ｄである。
【０１０９】
［ステップＳ３５］カメラ制御部１２は、検出対象とした電池の電圧が所定電圧（比較対象電圧）以上であるか否かを判定する。カメラ制御部１２は、検出対象とした電池の電圧が所定電圧以上である場合にステップＳ３６にすすみ、所定電圧に満たない場合にステップＳ３７にすすむ。ここで比較対象とする電圧は、上述の（２）式により求めることができる。
【０１１０】
［ステップＳ３６］カメラ制御部１２は、一時消費系デバイス３５と定常消費系デバイス３７とで分離している電源の供給元となる電池に十分な電圧があることから、複数のモータ係デバイスが同時動作する高速連写撮影を許可する。この後、カメラ制御部１２は、電源切替制御処理を終了する。
【０１１１】
［ステップＳ３７］カメラ制御部１２は、予備電池の有無を判定する。具体的には、予備電池の有無の判定は、第１の電源分離状態、または第２の電源分離状態であれば、予備電池ありとされ、第３の電源分離状態であれば予備電池なしとされる。カメラ制御部１２は、予備電池ありと判定すればステップＳ３８にすすみ、予備電池なしと判定すればステップＳ４０にすすむ。
【０１１２】
［ステップＳ３８］カメラ制御部１２は、電源制御部５０に指示し、一時消費系デバイス３５の電源供給元となっていた電池を定常消費系デバイス３７の電源供給元とする。
【０１１３】
［ステップＳ３９］カメラ制御部１２は、電源制御部５０に指示し、接続順序にしたがい予備電池の１つを一時消費系デバイス３５の電源供給元とする。具体的には、電源の接続分離状態が、第１の電源分離状態であったのであれば、第２の電源分離状態とし、第２の電源分離状態であったのであれば、第３の電源分離状態とする。
【０１１４】
［ステップＳ４０］カメラ制御部１２は、電池Ａ、電池Ｂ、電池Ｃ、電池Ｄを接続し、電池Ａ、電池Ｂ、電池Ｃ、電池Ｄが一時消費系デバイス３５と定常消費系デバイス３７で共通の電源供給元（電源接続状態）とする。
【０１１５】
［ステップＳ４１］カメラ制御部１２は、一時消費系デバイス３５の電源供給元となる電池の電圧が十分でない、あるいは定常消費系デバイス３７の電源供給元となる電池の電圧が十分でないことから、複数のモータ係デバイスが同時動作する高速連写撮影を不許可（単写撮影）とする。この後、カメラ制御部１２は、電源切替制御処理を終了する。
【０１１６】
これにより、カメラシステム１０は、一時消費系デバイス３５が同時動作可能な電池残量を適切に判断することができ、バッテリ容量を過大にすることなく一時消費系デバイス３５の動作可能時間を大きくすることができる。
【０１１７】
なお、カメラ制御部１２は、電源分離状態で高速連写撮影を許容する通常モードと、電源接続状態で高速連写撮影を制限する制限モードとに制御したが、これに限らず一時消費系デバイス３５の動作を制限するものであれば、その他のものであってもよい。
【０１１８】
なお、上述の実施の形態は、実施の形態の要旨を逸脱しない範囲内において種々の変更を加えることができる。
【０１１９】
さらに、上述の実施の形態は、多数の変形、変更が当業者にとって可能であり、説明した正確な構成および応用例に限定されるものではない。
【符号の説明】
【０１２０】
１……モバイル電子機器、２……電池、３……電圧監視部、４……電源切替部、５……第１電源供給部、６……第２電源供給部、７……一時消費系デバイス群、８……定常消費系デバイス群、１０……カメラシステム、１１……カメラ本体、１２……カメラ制御部、１３……ＬＣＤ、１４……ＥＶＦ、１５……記録媒体、１６……ＡＦユニット、１７……測光ユニット、１８……撮像素子、１９……フォーカス駆動部、２０……ＡＦ／ＭＦ切替部、２１……絞り駆動部、２２、５４……電池部、２４……ハーフミラー、２５……交換レンズ、２６……レンズ制御部、２７……フォーカスレンズ、２８……絞り、３０、５０……電源制御部、３１、３２、５１、５２……電圧変換部、３３、５３……電源切替部、３５……一時消費系デバイス、３６……シャッタ駆動部、３７……定常消費系デバイス
【図１】
2012063893.tif 000003
【図２】
2012063893.tif 000004
【図３】
2012063893.tif 000005
【図４】
2012063893.tif 000006
【図５】
2012063893.tif 000007
【図６】
2012063893.tif 000008
【図７】
2012063893.tif 000009
【図８】
2012063893.tif 000010
【図９】
2012063893.tif 000011
【図１０】
2012063893.tif 000012